(57)【要約】【課題】  特に室内の窓際に設置した物干竿（本出願人の主人が開発した特開２０００−１７５７９９号公報参照）に取り付けて、シーツ等を干す場合、ウエート部を設けることにより室内方向（物干竿に対して支持体を直角方向）に枠部を伸ばして使用することができると共に、枠部にスベリ止め部を設けることにより、室内外で使用でき、かつハンガーも多数取り付けられ、多目的に使用できる物干しハンガーを実現することを目的とする。【解決手段】  物干竿等に吊り下げるための吊下部と、一側端にウエート部を設けると共に、シーツや毛布等を掛止する枠部とからなる支持体と、ウエート部に突設したアーム部とから構成され、アーム部に吊下部をスライド自在に設けるべくスライド部を設けたことを特徴とする。【選択図】  図１
2005211618.tif 000002
【特許請求の範囲】
【請求項１】
物干竿等に吊り下げるための吊下部と、一側端にウエート部を設けると共に、シーツや毛布等を掛止する枠部とからなる支持体と、ウエート部に突設したアーム部とから構成され、アーム部に吊下部をスライド自在に設けるべくスライド部を設けたことを特徴とする物干しハンガー。
【請求項２】
枠部を平面略Ｕ字形に形成し、両端部をウエート部に固着し、枠部を伸縮自在に形成してなることを特徴とする請求項１記載の物干しハンガー。
【請求項３】
アーム部をウエート部のほぼ中央より突設すると共に、枠部のほぼ中央に位置させてなることを特徴とする請求項１又は２記載の物干しハンガー。
【請求項４】
吊下部に回転可能に形成すべく回転部を設け、物干竿等に対して支持体を直角方向に位置させ、使用してなることを特徴とする請求項１、２又は３記載の物干しハンガー。
【請求項５】
枠部に、スベリ止め部を設けてなることを特徴とする請求項１、２、３又は４記載の物干しハンガー。
【請求項６】
スベリ止め部が、筒ジャバラ状で伸縮自在に形成してなることを特徴とする請求項５記載の物干しハンガー。
【発明の詳細な説明】
【技術分野】
【０００１】  本発明は、シーツや毛布等、比較的大きな干し物を、特に室内にて干す場合に有効な物干しハンガーに関するものである。
【背景技術】
【０００２】  従来の物干しハンガーとしては、物干し用ハンガーを垂下させるための係止部材と、この係止部材の下方に連結される支持部材と、物干し用ハンガーに装着される被掛止物の着脱経路としての切欠部を有し、前記支持部材に保持される枠状体とを備えて構成したことを特徴とする物干し用ハンガーが開示されている。（特許文献１参照）【０００３】  また、別の物干しハンガーとして、一端にフックおよび板バネを具えこれら両者により物干し竿等を挟み物干し竿等に係合する係止腕と、この係止腕の他端と固定手段を介して連結される支持部材と、干し物を掛けるため環状に形成され前記支持部材に保持されるハンガー部材とからなり、前記ハンガー部材は、前記支持部材に固定される保持部材と、保持部材の両端にそれぞれ設けられ、互いにその終端が近接対向する一対の枠状体と、前記各枠状体の各終端の近接対向部分を開くため、一対の枠状体のいずれか一方に設けられる開閉機構とを具えてなり、前記開閉機構は、枠状体を保持部材に回転可能に支持する回動機構と、枠状体の回動を所定の角度で固定するストッパーとにより構成したことを特徴とする物干し用ハンガーが開示されている。（特許文献２参照）
【特許文献１】  特開平８−２５７２９１号公報
【特許文献２】  特開平９−１８２８９８号公報
【発明の開示】
【発明が解決しようとする課題】
【０００４】  上記前者及び後者の場合、係止部材の下方に連結された支持部材を構成しているため、必然的に係止部材が枠状体の中央に位置するように構成されるため、特に室内の窓際で使用する場合、物干竿に平行にしてしか使用できないため、使用を限定される。（他の洗濯物が干せなくなる）
また、スベリ止め部を設けていないため、室外で干す場合、風等でずれてしまい、思うように乾かない等の問題がある。
さらに、ハンガー等を多数取り付けることができず、用途を限定される等の問題を有する。【０００５】  本発明は、上記の問題点に鑑みなされたもので、特に室内の窓際に設置した物干竿（本出願人の主人が開発した特開２０００−１７５７９９号公報参照）に取り付けて、シーツ等を干す場合、ウエート部を設けることにより室内方向（物干竿に対して支持体を直角方向）に枠部を伸ばして使用することができると共に、枠部にスベリ止め部を設けることにより、室内外で使用でき、かつハンガーも多数取り付けられ、多目的に使用できる物干しハンガーを実現することを目的とするものである。
【課題を解決するための手段】
【０００６】  そして、本発明は上記目的を達成するために、物干竿等に吊り下げるための吊下部と、一側端にウエート部を設けると共に、シーツや毛布等を掛止する枠部とからなる支持体と、ウエート部に突設したアーム部とから構成され、アーム部に吊下部をスライド自在に設けるべくスライド部を設けたこと。また、枠部を平面略Ｕ字形に形成し、両端部をウエート部に固着し、枠部を伸縮自在に形成してなること。アーム部をウエート部のほぼ中央より突設すると共に、枠部のほぼ中央に位置させてなること。さらに、吊下部に回転可能に形成すべく回転部を設け、物干竿等に対して支持体を直角方向に位置させ、使用してなること。枠部に、スベリ止め部を設けてなること。その上、スベリ止め部が、筒ジャバラ状で伸縮自在に形成してなることを特徴とする。
【発明の効果】
【０００７】  本発明によれば、以下の効果を奏するものである。
１）、枠部の一側端にウエート部を設けることにより、物干竿等と水平方向に支持体を位置させ使用できることは勿論のこと、直角方向に枠部を伸ばして使用することができ、室内環境に応じて対応できる。
２）、物干竿に、より多くの洗濯物を干すことができる。
３）、アーム部をウエート部のほぼ中央に突設することにより、干物が片寄ることなく、バランスよく支持することができる。
４）、スベリ止め部を設けることにより、シーツ等が風等により摩れることなく確実に干すことができる。
５）、スベリ止め部を筒ジャバラ状にすることにより、シーツや毛布のみならずハンガーも引っ掛けて使用でき、多目的に使用できる。
【発明を実施するための最良の形態】
【０００８】  以下、本発明の実施の形態を図面に基づいて説明する。
【実施例１】
【０００９】  １は、物干しハンガーである。
２は、物干竿等に吊り下げるための吊下部で、上部に２つのフック片２ａを設け、下部に後述するアーム部にスライド自在に設けるべく断面四角形状のスライド本体２ｂ１と、所要の位置に固定するためのテーパー状のストッパー２ｂ２とからなるスライド部２ｂを設けると共に、フック片２ａを回転支持する軸２ｃ１による回転部２ｃを設けてなるものである。
３は、一側端にウエート部３ａを設けると共に、シーツや毛布等を掛止する枠部３ｂとからなる支持体で、枠部３ｂはパイプを折曲し、平面略Ｕ字形に形成し、伸縮自在に形成してなり、左端部をウエート部３ａの上下に設けた係止片３ａ１１・３ａ１２による取付孔３ａ１に着脱自在に設けてなるものである。
４は、アーム部で、ウエート部３ａのほぼ中央より突設すると共に、枠部３ｂのほぼ中央に位置させてなる。【００１０】  上記物干しハンガー１の使用例について、下記に述べる。
例えば、窓際Ｍに設けた物干竿ＭＨに物干しハンガー１のフック片２ａを引っ掛け、回転部２ｃにて支持体３を物干竿ＭＨに対して直角にする。
つぎに、枠部３ｂを所要長さに伸ばし、一端３ｂ１をウエート部３ａの取付孔３ａ１より引き抜き、そこからシーツＳ等を装着し、一端３ｂ１を取付孔３ａ１に差し込む。
その後、ウエート部３ａとのバランスを考えながら枠部３ｂを水平にするため、スライド部２ｂのストッパー２ｂ２を緩めてスライド本体２ｂ１を所要位置に移動させ、再度ストッパー２ｂ２にて固定する。【００１１】  上記のようにシーツ等を室内方向に干すことができ、室内空間を有効利用できるものである。
なお、室内に限定するものではなく、室外にも使用できることは言うまでもない。
【実施例２】
【００１２】  つぎに、他の実施例について説明する。
上記と同様な物干しハンガー２１の枠部２３ｂに、円筒ジャバラ状で伸縮自在に形成してなるスベリ止め部５を装着してなるものである。【００１３】  この物干しハンガー２１は、スベリ止め部５により、シーツや毛布等の摩れ止めとなると共に、所要間隔にてハンガーＨを掛けることができ、多目的に使用できるものである。【００１４】  なお、上記各実施例において、各部位の形状は、同様な機能効果があれば別の形状でもよい。
また、ウエート部の重さは、必要に応じて設定すればよく、特に限定しないし、別途アタッチメントウエート（図示せず）を設けてもよい。
【図面の簡単な説明】
【００１５】
【図１】  本発明の第１実施例を示す物干ハンガーの正面図。
【図２】  本発明の第１実施例を示す物干ハンガーの平面図。
【図３】  本発明の第１実施例を示す物干ハンガーの底面図。
【図４】  本発明の第１実施例を示す物干ハンガーの左側面図。
【図５】  本発明の第１実施例を示す物干ハンガーの右側面図。
【図６】  本発明の第１実施例を示す物干ハンガーのＣ−Ｃ線端面図。
【図７】  本発明の第１実施例を示す物干ハンガーのＡ−Ａ線端面図。
【図８】  本発明の第１実施例を示す物干ハンガーのＢ−Ｂ線端面図。
【図９】  本発明の第１実施例を示す物干ハンガーのセット前の使用状態の斜視図。
【図１０】  本発明の第１実施例を示す物干ハンガーのセット後の使用状態の斜視図。
【図１１】  本発明の第２実施例を示す物干ハンガーのスベリ止め部の正面図。
【図１２】  本発明の第２実施例を示す物干ハンガーの使用状態の斜視図。
【符号の説明】
【００１６】  １  物干しハンガー
２  吊下部
３  支持体
４  アーム部
５  スベリ止め部
【図１】
2005211618.tif 000003
【図２】
2005211618.tif 000004
【図３】
2005211618.tif 000005
【図４】
2005211618.tif 000006
【図５】
2005211618.tif 000007
【図６】
2005211618.tif 000008
【図７】
2005211618.tif 000009
【図８】
2005211618.tif 000010
【図９】
2005211618.tif 000011
【図１０】
2005211618.tif 000012
【図１１】
2005211618.tif 000013
【図１２】
2005211618.tif 000014